(57)【要約】【課題】特殊な部材を用いたり、ねじの個数を増やしたりせず、長期間にわたりびびり音の発生を抑制することができる液晶表示装置を提供する。【解決手段】液晶表示パネル１と、パネルシャーシ３と、ベゼル４とを備え、パネルシャーシ３の側壁３２とベゼル４の側面カバー部４３とを緊結する緊結部材５を備えている液晶表示装置Ａ。【選択図】図３
2012058329.tif 000002
【特許請求の範囲】
【請求項１】
液晶表示パネルと、
前記液晶表示パネルを保持するパネルシャーシと、
前記パネルシャーシの側壁をカバーする側面カバー部を含むベゼルとを備えた液晶表示装置であって、
前記パネルシャーシの側壁と前記ベゼルの前記側面カバー部とを緊結する緊結部材を備えていることを特徴とする液晶表示装置。
【請求項２】
前記ベゼルが前記パネルシャーシにねじ止めされており、
前記緊結部材は前記側壁と前記側面カバー部との前記ねじ止め部分から離れている部分を緊結している請求項１に記載の液晶表示装置。
【請求項３】
前記側壁には並んで形成された貫通孔である一対の側壁貫通孔が形成されており、
前記側面カバー部には前記一対の側壁貫通孔と対向するように並んで形成された貫通孔である一対のベゼル貫通孔が形成されており、
前記緊結部材は一方の側壁貫通孔とそれに対向するベゼル貫通孔、及び、他方の側壁貫通孔及びそれに対向するベゼル貫通孔をそれぞれ一気に貫通しており、
前記一対の側壁貫通孔を突出した部分が前記側壁の内側で連結されており、前記一対のベゼル貫通孔を貫通した部分は前記ベゼルの外側で連結されている請求項１又は請求項２に記載の液晶表示装置。
【請求項４】
前記一対のベゼル貫通孔が正面と背面とをつなぐ線に沿う方向に並んで配置されており、
前記一対の側壁貫通孔も同様に正面と背面とをつなぐ線に沿って並んで配置されている請求項３に記載の液晶表示装置。
【請求項５】
前記一対のベゼル貫通孔が正面と背面とをつなぐ線と交差する方向に並んで配置されており、
前記一対の側壁貫通孔も同様に正面と背面とをつなぐ線と交差する方向に並んで配置されている請求項３に記載の液晶表示装置。
【請求項６】
前記一対のベゼル貫通孔又は前記一対の側壁貫通孔の少なくとも一方が長尺形状の貫通孔である請求項３から請求項５のいずれかに記載の液晶表示装置。
【請求項７】
前記長尺形状の貫通孔の対をなす貫通孔に近い部分に角部を備えており、前記角部が鋭角とならないように面取り状に形成されている請求項６に記載の液晶表示装置。
【請求項８】
前記長尺形状の貫通孔の対をなす貫通孔と隣り合う部分には、前記正面側から前記背面側に並んで形成された複数個の切り欠きが形成されている請求項６に記載の液晶表示装置。
【請求項９】
前記緊結部材は、バンド部材である請求項１から請求項８に記載の液晶表示装置。
【請求項１０】
前記バンド部材はリング状に形成されている請求項９に記載の液晶表示装置。
【発明の詳細な説明】
【技術分野】
【０００１】
本発明は、液晶表示装置に関するものである。
【背景技術】
【０００２】
近年、多くのテレビジョン受像機には、液晶表示装置が採用されている。前記液晶表示装置は、液晶表示パネルと、前記液晶表示パネルの背面に配置されるバックライトユニットとを備えている。前記液晶表示装置では、前記液晶表示パネルに備えられた液晶パネルで前記バックライトユニットからの光の透過率（透過量）を調整し、前記液晶表示パネルの正面に映像を表示している。また、前記テレビジョン受像機は、映像を表示するための液晶表示装置を備えるとともに、音声を発生する、スピーカも備えている。
【０００３】
前記液晶表示装置は、前記液晶表示パネル及び前記バックライトユニットを保持するパネルシャーシと、前記液晶表示パネルの画像領域が外部に露出するように、前記パネルシャーシをカバーするベゼルとを備えている。
【０００４】
大型の液晶表示装置において、前記液晶表示パネル及び前記パネルシャーシ自体が大きいので、前記液晶表示パネル及び前記パネルシャーシの寸法のばらつきが大きくなる傾向にある。また、前記液晶表示パネル及び前記パネルシャーシ自体が大きいので、自重や熱による変形量（例えばたわみ）も大きくなる。そこで、大型の液晶表示装置では、前記液晶表示パネルや前記パネルシャーシ等の構成部材の寸法のばらつき、変形をある程度まで許容するため、各部材間に隙間ができるように設計されている場合が多い。しかしながら、このような隙間が形成されていると、その隙間がだけガタが生じ、例えば前記スピーカからの振動がこのガタに伝達されるとびびり音が発生し、前記テレビジョン受像機の品質低下につながる。
【０００５】
そこで、このようなびびり音を抑制するため、特開２００４−１３３０９８号公報に記載の液晶表示装置では、液晶パネルと前記液晶パネルを挟持する挟持枠体（本発明では、パネルシャーシ及びベゼル）とのびびり音の発生を抑えるため、前記液晶パネルと前記挟持枠体との間に緩衝材を配置し、前記液晶パネルと前記緩衝材を接着することで、前記液晶パネルを前記挟持枠体に固定している。これにより、前記液晶パネルと前記挟持枠体とのガタを取ることができ、びびり音の発生を抑制している。
【先行技術文献】
【特許文献】
【０００６】
【特許文献１】特開２００４−１３３０９８号公報
【発明の概要】
【発明が解決しようとする課題】
【０００７】
特開２００４−１３３０９８号公報に記載の液晶表示装置では、前記液晶パネルと前記挟持枠体とのびびり音の発生を抑えている。一方で、前記パネルシャーシと前記ベゼルとは、通常ねじ止めされる構成となっており、しっかり固定されている。しかしながら、大型の液晶表示装置では、ねじでの固定の間隔が大きくなり、ねじで固定されている部分の間は、ねじによる固定力が不十分となり、その部分ではガタが発生しやすくびびり音が発生しやすい。
【０００８】
このような、前記パネルシャーシと前記ベゼルとのびびり音の発生を抑制するため、ねじ止め部を増やす方法がある。ねじ止め部を増やすことで、ねじによる前記パネルシャーシと前記ベゼルとを圧着する力の及ぶ範囲を広くし、びびり音の発生を抑制することが可能である。しかしながら、ねじ止め部を増やすと、ねじの個数が増え、部品点数が多くなるとともに、前記パネルシャーシと前記ベゼルのねじ止め部の加工が増え、作業性が低くなる。
【０００９】
また、前記パネルシャーシと前記ベゼルとのねじ止め部の間の部分を粘着テープで機械的に固定する方法も提案されている。前記ねじ止め部の間の部分を粘着テープで固定することで、ねじ止めよりも容易に前記ベゼルと前記パネルシャーシとのガタを取ることができ、びびり音の発生を抑えることができる。しかしながら、前記前記パネルシャーシや前記ベゼルは、前記バックライトや組み込まれている電子機器等からの熱によって高温となる。粘着テープは、高温や経年変化によって粘着力が低下してしまう。この粘着テープの粘着力の低下によって、前記パネルシャーシと前記ベゼルとの機械的な固定力が低下し、びびり音が発生しやすくなる。
【００１０】
そこで本発明は、特殊な部材を用いたり、ねじの個数を増やしたりせず、長期間にわたりびびり音の発生を抑制することができる液晶表示装置を提供することを目的とする。
【課題を解決するための手段】
【００１１】
上記目的を達成するために本発明は、液晶表示パネルと、前記液晶表示パネルを保持するパネルシャーシと、前記パネルシャーシの側壁をカバーする側面カバー部を含むベゼルとを備えた液晶表示装置であって、前記パネルシャーシの側壁と前記ベゼルの前記側面カバー部とを緊結する緊結部材を備えていることを特徴とする。
【００１２】
この構成によると、びびり音を発生しやすい前記側壁と前記側面カバー部とを前記緊結部材で緊結するので、液晶表示装置全体としてびびり音の発生を抑えることができる。
【００１３】
上記構成において、前記ベゼルが前記パネルシャーシにねじ止めされており、前記緊結部材は前記側壁と前記側面カバー部との前記ねじ止め部分から離れている部分を緊結していてもよい。
【００１４】
上記構成において、前記側壁には並んで形成された貫通孔である一対の側壁貫通孔が形成されており、前記側面カバー部には前記一対の側壁貫通孔と対向するように並んで形成された貫通孔である一対のベゼル貫通孔が形成されており、前記緊結部材は一方の側壁貫通孔とそれに対向するベゼル貫通孔、及び、他方の側壁貫通孔及びそれに対向するベゼル貫通孔をそれぞれ一気に貫通しており、前記一対の側壁貫通孔を突出した部分が前記側壁の内側で連結されており、前記一対のベゼル貫通孔を貫通した部分は前記ベゼルの外側で連結されている。
【００１５】
上記構成において、前記一対の側壁貫通孔が正面と背面とをつなぐ線に沿う方向に並んで配置されており、前記一対のベゼル貫通孔も同様に正面と背面とをつなぐ線に沿って並んで配置されていものであってもよいし、正面と背面とをつなぐ線と交差する方向に並んで配置されていてもよい。
【００１６】
上記構成において、前記一対のベゼル貫通孔又は前記一対の側壁貫通孔の少なくとも一方が長尺形状の貫通孔であるものを挙げることができる。この構成において、前記長尺形状の貫通孔の対をなす貫通孔に近い部分に角部を備えており、前記角部が鋭角とならないように面取り状に形成されているものとしてもよい。
【００１７】
上記構成において、前記長尺形状の貫通孔の対をなす貫通孔と隣り合う部分には、前記正面側から前記背面側に並んで形成された複数個の切り欠きが形成されていてもよい。緊結部材を係合する切り欠きを換えることで、締め付け力が強く作用する部分を調整することが可能である。
【００１８】
上記構成において、前記緊結部材は、バンド部材を挙げることができる。なお、前記バンド部材はリング状に形成されている物とすることが可能である。
【発明の効果】
【００１９】
本発明によると、特殊な部材を用いたり、ねじの個数を増やしたりせず、長期間にわたりびびり音の発生を抑制することができる液晶表示装置を提供することができる。
【図面の簡単な説明】
【００２０】
【図１】本発明にかかる液晶表示装置を用いたテレビジョン受像機の背面側から見た分解斜視図である。
【図２】本発明にかかる液晶表示装置の一例の断面図である。
【図３】図２に示す液晶表示装置の正面図である。
【図４】図３に示す液晶表示装置の下側から見た図である。
【図５】図４に示す液晶表示装置をＶ−Ｖ線で切断した断面図である。
【図６】本発明にかかる液晶表示装置の他の例の下側から見た側面図である。
【図７】本発明にかかる液晶表示装置の緊結部材で固定している部分の拡大図である。
【図８】本発明にかかる液晶表示装置の緊結部材で固定している部分の拡大図である。
【発明を実施するための形態】
【００２１】
以下に本発明の実施形態について図面を参照して説明する。図１は本発明にかかる液晶表示装置を用いたテレビジョン受像機の背面側から見た分解斜視図である。図１に示すテレビジョン受像機ＴＶは、外装筐体であるフロントキャビネットＦｃ及びリヤキャビネットＲｃと、フロントキャビネットＦｃ及びリヤキャビネットＲｃで囲まれた空間に配置される液晶表示装置Ａと、フロントキャビネットＦｃ及びリヤキャビネットＲｃで囲まれた空間の液晶表示装置Ｌｃの下部に配置されたスピーカＳｐと、リヤキャビネットＲｃの外部に配置されたスタンドＳｔとを備えている。
【００２２】
本発明にかかる液晶表示装置について図面を参照して説明する。図２は本発明にかかる液晶表示装置の一例の断面図である。なお、図２に示す液晶表示装置では、図中に示しているように、上が正面で下が背面である。図２に示すように、液晶表示装置Ａは、液晶表示パネル１と、液晶表示パネル１の背面に配置されたバックライトユニット２と、液晶表示パネル１及びバックライトユニット２を保持するパネルシャーシ３と、パネルシャーシ３の正面の外周部と側面部とを覆うベゼル４とを備えている。
【００２３】
液晶表示パネル１は、ＴＦＴ（薄膜トランジスタ）等のスイッチング素子を含むアレイ基板と、アレイ基板と対向して配置され、カラーフィルタが形成された対向基板と、アレイ基板と対向基板との間に形成され液晶が充填された液晶層とを含んでいる。なお、液晶表示パネル１は、ＴＦＴとカラーフィルタとは異なる基板に形成されているが、カラーフィルタもＴＦＴと同様に前記アレイ基板に形成され、対向基板には透明電極だけが形成されている構成であってもよい。
【００２４】
バックライトユニット２は、正面側に開口を有する箱型のバックライトシャーシ２１と、バックライトシャーシ２１に配置されたランプ２２と、ランプ２２の両端部を支持するランプソケット２３と、バックライトシャーシ２１に固定されランプ２２の中間部を支持すランプクリップ２４と、バックライトシャーシ２１に取り付けられランプ２２及びランプソケット２３を正面側から保持するランプホルダ２５と、ランプ２２からの光を拡散させる光学シートユニット２６と、ランプホルダ２５に配置され、光学シートユニット２６の外周部を押えるシート押え２７とを備えている。
【００２５】
なお、バックライトユニット２は、光学シートユニット２６の背面にランプ２２（光源）を並べて配置した直下型のバックライトであるが、導光板と導光板の側面に対向して配置された光源（蛍光ランプ、ＬＥＤランプ等）を備えた、エッジ型のバックライトであってもよい。
【００２６】
バックライトシャーシ２１は金属板を切り曲げて形成された開口を有する箱状の部材である。なお、金属板を切り曲げたもの以外にも、樹脂の一体成形体であってもよい。バックライトシャーシ２１は長方形状の底面を有している。図２に示すバックライトユニット２において、ランプ２２は冷陰極管等の線状の蛍光ランプであるが、これに限定されるものではなく、例えば、ＬＥＤランプ等の発光素子を用いる構成のものであってもよい。ランプ２２は、バックライトシャーシ２１の底面に、ランプ２２の長手方向と直交する方向に配列されている。なお、図示は省略しているが、バックライトシャーシ２１には、ランプ２２からバックライトシャーシ２１向かって出射された光を、光学シートユニット２４に向けて反射する反射部材が配置されている。反射部材は白色のシートをバックライトシャーシ２１に貼り付けるものが良く用いられているが、それに限定されない。
【００２７】
ランプソケット２３はランプ２１の両端部を支持しており、ランプ２１に発光のための電力を供給している。そして、ランプホルダ２５が、バックライトシャーシ２１の正面側に配置され、ランプソケット２３の正面側を覆っている。さらに、ランプホルダ２５の正面側には、段差が形成されており、段差に光学シートユニット２６がシート押え２７を介して配置されている。
【００２８】
なお、ランプホルダ２５はランプ２１からの光を効率よく反射するため、白色の樹脂で形成されているが、それに限定されるものではなく、光を効率よく反射できるものを広く採用できる。シート押え２７は弾性変形可能な緩衝部材であり、後述するように、バックライトユニット２をパネルシャーシ３に取り付けたとき、ランプホルダ２５との間及びパネルシャーシ３と間に挟持され、光学シートユニット２６に過剰な応力が作用するのを防いでいる。
【００２９】
ランプクリップ２４はランプ２１から出射された光を効率よく反射するため、白色の樹脂で形成されているが、それに限定されるものではなく、光を効率よく反射できるものを広く採用することができる。また、図２に示しているように、ランプソケット２３はランプ２１の中間部を保持するとともに、光学シートユニット２６を支持し、光学シートユニット２６がたわむのを抑制している。
【００３０】
光学シートユニット２６は、例えば、拡散シートやレンズシートなどの光学シートを重ねて配置した積層体である。なお、拡散シートは入射された光を内部で拡散するシートであり、光が入射すると、その光は拡散され、輝度むらの少ない面状光として出射される。レンズシートは光の放射特性を偏向させる（集光させる）シートであり、光が入射すると、その光は集光され、単位面積あたりの発光輝度が向上する。なお、これら以外の光学シートが用いられることもある。
【００３１】
パネルシャーシ３は樹脂を一体成形することで製造される部材である。パネルシャーシ３は中央に開口３１０を有する正面視長方形状のパネル支持部３１と、パネル支持部３１の背面側に一体形成された側壁３２とを備えている。側壁３２はパネル支持部３１の周縁部と接続されている。パネル支持部３１の正面側は開口３１０と隣り合うように段差３１１を備えている。この段差３１１にはパネル押え１１を介して液晶表示パネル１が取り付けられている。パネル押え１１は液晶表示パネル１の辺縁部を支持している。すなわち、液晶表示パネル１は辺縁部を、パネル押え１１を介してパネルシャーシ３に取り付けられている。
【００３２】
そして、パネルシャーシ３の側壁部３２で囲まれた部分にはバックライトユニット２が配置されている。このとき、ランプホルダ２５とパネルシャーシ３とでシート押え２７に挟まれた光学シートユニット２６を挟持している。シート押え２７は、圧縮されることで力を分散し、光学シートユニット２６に過剰な応力が作用するのを抑制することができる。また、シート押え部２７は、ランプホルダ２５及び（又は）パネルシャーシ３の表面の荒れ（凹凸）を吸収し、光学シートユニット２６が傾いたり、たわんだりするのを抑制することができる。
【００３３】
図２に示すように、ベゼル４はパネルシャーシ３の正面を覆う正面カバー部４１と、パネルシャーシ３の側面を覆う側面カバー部４２とを備えている。なお、ベゼル４は金属板をプレス加工等で切り曲げて形成した部材であるが、これに限定されるものではなく、複数枚の金属板を溶接等の接合方法で接合したものであってもよく、樹脂の一体成形で形成されたものであってもよい。
【００３４】
図２に示すように、ベゼル４の正面カバー部４１には開口４１０が形成されている。正面カバー部４１は、開口４１０の辺縁部分でパネル押え１１を押圧している。液晶表示パネル１は、パネルシャーシ３とベゼル４とで挟持される。このとき、パネル押え１１がパネルシャーシ３及びベゼル４に直接接触しており、パネル押え１１は変形することで力を緩衝することができる部材であるので、パネルシャーシ３及びベゼル４から液晶表示パネル１に作用する力が緩和される。また、パネルシャーシ３及び（又は）ベゼル４の液晶表示パネル１と対向する面が平滑ではない（凹凸がある、湾曲している等）場合も、パネル押え１１が変形することで、液晶表示パネル１の一部での応力集中を抑制している。なお、液晶表示パネル１の画像を表示する領域（画像領域）は開口４１０から外部に露出している。
【００３５】
ベゼル４の側面カバー部４２はパネルシャーシ３の側壁３２と接触するように配置されている。そして、図２に示しているように、ベゼル４の正面カバー部４１、パネルカバー３、ランプホルダ２５及びバックライトシャーシ２１をねじＳｃでとも締めすることで、液晶表示装置Ａが組み立てられている。なお、ねじＳｃはベゼル４の正面カバー部４１から挿入され、バックライトシャーシ２１側で螺合されている。このとき、正面カバー部４１、パネルカバー３、ランプホルダ２５にはねじＳｃが貫通する貫通孔が形成されている。そして、バックライトシャーシ２１には、ねじＳｃが螺合される雌ねじが形成されていてもよいし、貫通孔が形成され、貫通孔より突出した部分を螺合するナットが配置されていてもよい。
【００３６】
以上のようにして、組み立てられた液晶表示装置Ａによる画像表示の原理は以下のとおりである。まず、ランプ２２から出射された光及びランプ２２から出射され反射部材で反射された光が、光学シートユニット２６に入射する。光学シートユニット２６に入射した光は、光学シートユニット２６を透過するときに、拡散・散乱され、そして面内において均一又は略均一な輝度の面状光として、光学シートユニット２６から出射される。
【００３７】
その後、光学シートユニット２６から出射された光は、パネルシャーシ３の開口３１０を通過し、液晶表示パネル１に入射する。液晶表示パネル１では、液晶層に電圧を印加することで、液晶層に充填されている液晶の配向方向を変化させ、光の透過率を調整する。なお、この光の透過率の調整は、液晶表示パネル１で画像を表示するときの最小単位である画素毎に行われるものである。そして、透過率が調整された光は、液晶表示パネル１に備えられているカラーフィルタで赤色（Ｒ）、緑色（Ｇ）、青色（Ｂ）のそれぞれの波長の光に変換される。液晶表示装置ＡはこのＲＧＢの光を合成することで画像を形成している。この画像は、液晶表示パネル１の画像領域に形成され、開口４１０から観察することが可能である。
【００３８】
（第１実施形態）
次に本発明の要部であるベゼルとパネルシャーシについて図面を参照して詳しく説明する。図３は図２に示す液晶表示装置の正面図であり、図４は図３に示す液晶表示装置の下側から見た図であり、図５は図４に示す液晶表示装置をＶ−Ｖ線で切断した断面図である。図３に示すように、ベゼル４の正面カバー部４１が、複数個のねじＳｃで固定されている。正面カバー部４１は、四隅と、一対の長辺それぞれに３箇所ずつ、一対の短辺それぞれに２箇所ずつねじＳｃで固定されている。しかしながら、これに限定されるものではなく、ベゼル４をパネルシャーシ３にしっかりとねじ固定できる場所及び個数とすることも可能である。
【００３９】
液晶表示装置Ａのように、正面側からねじＳｃをベゼル４、パネルシャーシ３、ランプホルダ２５及びバックライトシャーシ２１に形成された貫通孔又はねじ孔に挿入されるので、一方向（正面側）からの作業だけでよく、組み立ての手間と時間が少なくてすむ。一方で、ベゼル４の側面カバー部４２とパネルシャーシ３の側壁３２とは強く固定されていない。また、製造時のばらつきや熱、自重による変形を考慮して設計されているため、隙間が形成されている場合もある。このような隙間が形成されている部分に振動（例えば、スピーカからの振動）が伝達されると、側面カバー部４２と側壁３２とが接触し、びびり音が発生する場合がある。
【００４０】
液晶表示装置Ａでは、側壁３２と側面カバー部４２とを緊結してびびり音の発生を抑制している。詳しく説明すると、液晶表示装置Ａのベゼル４では、ねじＳｃによる締め付け部分の近傍では、側面カバー部４２でもねじ止めによる締め付け力が作用しており、びびり音が発生しにくい。一方で、振動源（テレビジョン受像機ＴＶの場合スピーカＳｐ）の近傍でねじＳｃによる締め付け部分から離れている場所では、ねじ止めによる締め付け力が弱く、側面カバー部４２ではびびり音が発生しやすい。特に大型の液晶表示装置では、隣り合うねじＳｃ同士の間隔が広く、その略中央部分でびびり音が発生しやすい。そこで、図３に示すように、液晶表示装置Ａの上辺及び左右両辺では、隣り合うねじＳｃ同士の略中央の側壁３２と側面カバー部４２とを緊結部材５で固定している。これにより、側壁３２と側面カバー部４２との隙間が形成されにくく、びびり音が発生しにくい。
【００４１】
以下に、緊結部材５による緊結部分について説明する。図４、図５に示しているように、ベゼル４の側面カバー部４２には円形の貫通孔である一対のベゼル貫通孔４３が複数箇所に形成されている。また、パネルシャーシ３の側壁３２には、ベゼル４の側面カバー部４２を配置したときに、一対のベゼル貫通孔４３と重なる位置に円形の貫通孔である一対の側壁貫通孔３３が複数箇所に形成されている。なお、図４、図５では、一対の貫通孔３３が一対の貫通孔４３よりも大きく形成されているが、これに限定されるものではなく、同じ大きさであってもよい。
【００４２】
一対の側壁貫通孔３３と一対のベゼル貫通孔４３には、緊結部材５が取り付けられている。図５に示しているように緊結部材５はリング状に形成されている。そして、緊結部材５は、一対の側壁貫通孔３３の一方（３３ａ）と一対のベゼル貫通孔４３の一方（４３ａ）を同時に貫通している。また、緊結部材５は、側壁３２の内側を通って一対の側壁貫通孔３３の他方（３３ｂ）と一対のベゼル貫通孔４３の他方（４３ｂ）も同時に貫通している。そして、緊結部材５は一対の側壁貫通孔３３同士をつなぐように、側壁３２の内側に配置されている。同様に、緊結部材５は一対のベゼル貫通孔４３同士をつなぐように、側面カバー部４２の外側に配置されている。
【００４３】
そして、この緊結部材５の長さが短くなるように絞ることで、緊結部材５が締付けられ、側壁３２と側面カバー部４２とが強く圧接される。これにより、スピーカＳｐ（図１参照）からの振動が伝播しても、側壁３２と側面カバー部４２とのびびり音を抑制することが可能である。
【００４４】
なお、緊結部材５としては、表面に鋸歯状の凹凸が形成されており、一方の端部に他方の端部が挿入される筒状部を備えており、筒状部の内側に鋸歯状の凹凸が係合し逆戻りを防止するロック機構が備えられている結束バンドを用いている。しかしながら、これに限定されるものではなく、熱収縮チューブを環状に形成したもの、ポリプロピレンのバンドの端部を接着するもの、バンドの端部を重ね合わせて熱収縮によって接合できる熱収縮バンド、金属のバンドを塑性変形で固定するもの、金属のバンドを溶接、はんだ付け等で固定するもの等、側壁３２と側面カバー部４２とをしっかり固定できるものを用いてもよい。また、緊結部材５として、平帯状のものとしているが、これに限定されるものではなく、線状のもの、棒状のものを巻回したもの、幅広のシート状のものを用いてもよい。また、緊結部材５は側壁３２又は側面カバー部４２と一体に形成された部材であってもよい。その場合、側壁３２又は側面カバー部４２のうち、緊結部材５が一体形成される方の部材には、固定用の貫通孔は形成しなくてもよい。これらの中には、リング状でないもの、例えば側壁３２の内側又は側面カバー部４２の外側の一方が接続され、他方が切断されている構成のものも含まれる。
【００４５】
なお、図３に示すように、液晶表示装置Ａの下側の長辺において、緊結部材５による固定位置が、隣り合うねじＳｃの間よりずれた位置に形成されている。これは、液晶表示装置Ａがテレビジョン受像機ＴＶに取り付けられたとき、同様にテレビジョン受像機ＴＶに取り付けられたスピーカＳｐからの振動が最も伝達されやすい部分、換言すると、スピーカＳｐに最も近い部分を緊結部材５で締付け固定している。これにより、スピーカＳｐに振動が伝達されても、側壁３３と側面カバー部４３との振動によるびびり音の発生を効率よく抑えることができる。
【００４６】
図４、図５に示す液晶表示装置Ａでは、一対の側壁貫通孔３３及び一対のベゼル貫通孔４３が正面側と背面側とに（奥行き方向に）並んで形成されている。これにより、緊結部材５で側壁３２と側面カバー部４２とを締付け固定したとき、緊結部材５の側面カバー部４２の外側の部分が奥行き方向に延設されている。このように、緊結部材５が奥行き方向に延びている場合、液晶表示装置ＡをフロントキャビネットＦｃ（或いはリヤキャビネットＲｃ）に取り付けるときに、フロントキャビネットＦｃ（或いはリヤキャビネットＲｃ）のベゼル４を保持するリブ等が緊結部材５に引っかかりにくく、液晶表示装置ＡのフロントキャビネットＦｃ（或いはリヤキャビネットＲｃ）への着脱が容易である。
【００４７】
（第２実施形態）
本発明にかかる液晶表示装置の他の例について図面を参照して説明する。図６は本発明にかかる液晶表示装置の他の例の緊結部材で緊結している部分の拡大図である。図６に示す液晶表示装置Ｂは、一対の側壁貫通孔３３及び一対のベゼル貫通孔４３の配置方向が異なる以外は、液晶表示装置Ａと同じ構成を有するものであり、実質上同じ部分には同じ符号が付してある。また、実質上同じ部分の説明は省略する。
【００４８】
図６に示すように、液晶表示装置Ｂでは、側壁３２に形成された一対の側壁貫通孔３３及び側面カバー部４２に形成された一対のベゼル貫通孔４３が正面と背面を結ぶ方向（奥行き方向）と直交する方向（図中では左右方向）に並んで配置されている。そして、左右方向に延びるように、緊結部材５が取り付けられている。
【００４９】
このように、緊結部材５が左右方向に延びて配置されていることで、側壁３２と側面カバー部４２の左右方向の長い範囲を締付け固定することができる。これにより、広い範囲でびびり音の発生を抑制することができる。また、側壁３２と側面カバー部４２の横方向に広い範囲を緊結することができるので、緊結部材５の数を減らすことができ、部品点数及び製造工数を減らすことが可能である。
【００５０】
また、図６に二点鎖線で示すように、一対の側壁貫通孔３３及び一対のベゼル貫通孔４３に、側壁３２の背面側及び側面カバー部４２の背面側から緊結部材５を挿入する溝３３１、４３１が形成されていてもよい。このように、溝３３１、４３１が形成されていることで、緊結部材５を環状に形成した状態で、一対の側壁貫通孔３３及び一対のベゼル貫通孔４３に取り付けることが可能である。これにより、作業効率を上げることが可能である。
【００５１】
（第３実施形態）
本発明にかかる液晶表示装置のさらに他の例について図面を参照して説明する。図７は本発明にかかる液晶表示装置のさらに他の例の緊結部材で緊結している部分の拡大図である。図７に示すように、液晶表示装置Ｃにおいて、一対の側壁貫通孔３４及び一対のベゼル貫通孔４４の形状が、液晶表示装置Ａと異なる以外は、同じ構成を有しており、実質上同じ部分には同じ符号が付してある。また、実質上、同じ部分の説明は省略する。
【００５２】
図７に示すように、一対の側壁貫通孔３４及び一対のベゼル貫通孔４４は液晶表示装置Ｃの正面と背面を結んだ方向（奥行き方向）に並んで配置されている。一対の側壁貫通孔３４及び一対のベゼル貫通孔４４は、緊結部材５の延伸方向と交差する方向に長い長方形状に形成されている。このように、長方形状に形成されていることで、幅広の緊結部材５を用いることが可能である。また、幅は同じでも複数本の緊結部材５を用いて締付け固定できる。
【００５３】
一対の側壁貫通孔３４及び一対のベゼル貫通孔４４の互いに他方に近い方の辺につながる角部に面取り（チャンファ３４１、４４１、フィレット３４２、４４２）が形成されている。なお、図７では、角部の一方がチャンファ３４１、４４１、他方がフィレット３４２、４４２であるものを示しているが、実際には図７と同様、チャンファとフィレットが混在していてもよいし、２つの角部の両方にチャンファ或いはフィレットが形成されているものであってもよい。
【００５４】
なお、本実施形態では、一対の側壁貫通孔３４及び一対のベゼル貫通孔４４が奥行き方向（正面と背面とをつなぐ方向）に配列された長方形状のものであるが、これに限定されるものではない。また、液晶表示装置Ｃでは、一対の側壁貫通孔３４及び一対のベゼル貫通孔４４のいずれもが長方形状に形成されているが、それに限られるわけではなく、一対の側壁貫通孔３４又は一対のベゼル貫通孔４４の少なくとも一方のみが長方形状に形成されていてもよい。なお、一対の側壁貫通孔３４及び一対のベゼル貫通孔４４が奥行き方向と交差する方向に並んで配置されていてもよい。
【００５５】
（第４実施形態）
本発明にかかる液晶表示装置のさらに他の例について図面を参照して説明する。図８は本発明にかかる液晶表示装置の緊結部材で固定している部分の拡大図である。図８に示す液晶表示装置Ｄは側壁３２に形成された一対の側壁貫通孔３５及び側面カバー部４２に形成された一対のベゼル貫通孔４５が異なる以外は、液晶表示装置Ａと同じ構成であり、実質上同じ部分には、同じ符号が付してある。また、実質上同じ部分の説明は省略する。
【００５６】
図８に示すように、一対の側壁貫通孔３５及び一対のベゼル貫通孔４５は、液晶表示装置Ｄの正面と背面を結んだ方向（奥行き方向）に長い長尺状の孔であり、奥行き方向と交差する方向に並んで配置されている。そして、一対の側壁貫通孔３５のそれぞれは、互いに他方と近い辺に他方の側壁貫通孔３５に向かって正面側から円弧状切り欠き３５１、円弧状切り欠き３５２及び円弧状切り欠き３５３が形成されている。また、一対のベゼル貫通孔４５にも同様に、正面側から円弧状切り欠き４５１、円弧状切り欠き４５２及び円弧状切り欠き４５３が形成されている。このように、緊結部材５を円弧状切り欠き３５１及び円弧状切り欠き４５１に係合するように取り付けることで、緊結部材５が一対の側壁貫通孔３５及び（又は）一対のベゼル貫通孔４５の長手方向にずれるのを抑制することができる。
【００５７】
また、緊結部材５を係合する位置を、正面側、中央、背面側から選択することができる。ここで、ベゼル４について説明すると、ベゼル４は正面側の正面カバー部４１をねじＳｃでパネルシャーシ３に固定されている。そして、側面カバー部４２は正面カバー部４１と連結しており、背面側が自由端部となっている。すなわち、ベゼル４は背面側の自由端部にガタができやすい。
【００５８】
そして、正面カバー部４１のねじＳｃで固定されている部分の近傍は、ねじ止めによる力が作用しているので、側面カバー部４２の背面側でもびびり音が発生しにくい。一方、ねじＳｃで固定されている部分から離れると、側面カバー部４２の背面側でびびり音が発生しやすくなっている。このことから、ねじＳｃで固定されている部分に近接した部分では、びびり音の心配があまり無いので、正面側の円弧状切り欠き３５１及び円弧状切り欠き４５１に緊結部材５を係合させて、側壁３２と側面カバー部４２とを強く接触させて固定する。また、ねじＳｃで固定されている部分から離れている部分では、側面カバー部４２の背面側でびびり音が発生しやすいので、背面側の円弧状切り欠き３５３及び円弧状切り欠き４５３に緊結部材５を係合させて、側壁３２と側面カバー部４２とを強く接触させて固定する。
【００５９】
また、振動が伝達しにくい場所（例えば、液晶表示装置の左右両辺部及び上辺部）のねじＳｃから離れた部分では、中央の円弧状切り欠き３５２及び円弧状切り欠き４５２に緊結部材５を係合させて固定するようにしてもよい。
【００６０】
以上のように、びびり音が発生しにくい部分では正面に近い部分を、びびり音が発生しやすい部分では背面に近い部分を、それぞれ、緊結部材５で締付けるので、ベゼル４をパネルシャーシ３に強固に固定することができるとともに、びびり音の発生を抑制することができる。
【００６１】
本実施形態では、一対の側壁貫通孔３５及び一対のベゼル貫通孔４５の両方に正面側の円弧状切り欠き３５１、４５１、中央の円弧状切り欠き３５２、４５２及び背面側の円弧状切り欠き３５３、４５３の３個ずつの切り欠きが形成されているが、緊結部材５を正面側又は背面側に係合できるように、少なくとも正面側と背面側とに形成されていればよい。また、一対の側壁貫通孔３５又は一対のベゼル貫通孔４５のどちらか一方だけに円弧状切り欠きが形成されているものであってもよい。さらに、切り欠きとして、円弧状のものを採用しているが、緊結部材５がずれにくく、破損しにくい構造のものを広く採用することができる。
【００６２】
上述の各実施形態において、びびり音を発生させる振動源として、スピーカを挙げているが、これに限定されるものではなく、インバータや冷却ファン等、それ自体振動し、他の部分に振動を伝達する装置も振動源となりうることはいうまでもない。
【産業上の利用可能性】
【００６３】
本発明は、薄型テレビジョン受像機、薄型ディスプレイ装置等の画像表示装置として利用することができる。
【符号の説明】
【００６４】
ＴＶ  テレビジョン受像機
Ｆｃ  フロントキャビネット
Ｒｃ  リヤキャビネット
Ｓｐ  スピーカ
Ｓｔ  スタンド
Ａ  液晶表示装置
１  液晶表示パネル
２  バックライトユニット
２１  バックライトシャーシ
２２  ランプ
２３  ランプソケット
２４  ランプクリップ
２５  ランプホルダ
２６  光学シートユニット
２７  シート押え
３  パネルシャーシ
３１  パネル支持部
３２  側壁
３３  側壁貫通孔
３３１  溝
３４  側壁貫通孔
３５  側壁貫通孔
３５１  円弧状切り欠き
４  ベゼル
４１  正面カバー部
４２  側面カバー部
４３  ベゼル貫通孔
４３１  溝
４４  ベゼル貫通孔
４５  ベゼル貫通孔
４５１  円弧状切り欠き
５  緊結部材
【図１】
2012058329.tif 000003
【図２】
2012058329.tif 000004
【図３】
2012058329.tif 000005
【図４】
2012058329.tif 000006
【図５】
2012058329.tif 000007
【図６】
2012058329.tif 000008
【図７】
2012058329.tif 000009
【図８】
2012058329.tif 000010